(57)【要約】      （修正有）【課題】  クッション機能と共に体圧分散機能と通気機能を共有する軽量体位支持装置を提供する。【解決手段】  通気性発泡ウレタンクッション体の一部連鎖・連結組織を分断し、側圧応力を減ずることにより、クッション本体の特定位置におけるクッション傾斜機能を任意に変化せしめ、体圧の分散と通気性機能を向上せしめる方法、または通気性発泡ウレタンクッションを基盤とし、その上部に通気発泡ウレタン材で構成した多様な形態のクッションブロック個体を配列・配備し、これを通気性枠部で支持し、更に伸縮通気性を有する外装部で囲包し、体位支持部を構成する。【選択図】なし【特許請求の範囲】
【請求項１】
連鎖通気性を有する発泡ウレタン材を用いて座面のクッション部を構成する体位支持装置において、座面とする均質的ウレタンクッションによって有効なる体位分散機能と通気機能を両立構成する手段として、連鎖特性を有する発泡ウレタン組織の一部に側方結合を分断するための切開手段を施し、座面の一部に任意な傾斜機能付きクッション部を設けることにより、座面の一部に反撥性・クッション性の異なる体位支持域を構成したクッション体の形成方法。
【請求項２】
発泡ウレタンクッション材の体圧分散作用を更に向上せしめる手段としてウレタン連鎖組織の一部を分断して側応力を排除することにより、クッション資質の異なる域を一体的ウレタンクッション面に構成し、体圧分散性と通気性を向上せしめたことを特徴とする体位支持装置。
【請求項３】
体圧を分散せしめる体位支持部の構成を適度なクッション作用と通気作用を有する台座部とし、その上部に区画形状的に異なる面積・資質で形成したブロック状の通気性クッション体を配備して層状ブロック構造とし、これを伸縮通気性を有する外装物で囲包してなる体位支持マット装置。
【請求項４】
通気性を有する発泡クッション材を用いた体位支持装置の通気作用を更に向上せしめるため、体位支持部を構成するクッション部の底面部・側面部より上部クッション材部に対し、空気の供給を容易とすべく底面・側面に体位加圧によっても間隙をを保持しうる可撓性素材構造体を配備し、これらを一体的に通気伸縮性を有する外装部で包囲した前記特許請求項１・２・３記載の体位支持装置。
【発明の詳細な説明】
【技術分野】
【０００１】  本発明は発泡ウレタンの有する特性を利用した体位支持クッション装置の構成技術に関する。
【背景技術】
【０００２】  今日合成高分子物の発泡技術によって生産されている各種発泡ウレタン材はその比類なき特性（軽量性・弾力性・クッション性）によって多くの日常生活用品（寝具・座席マット）に使用されている。
本発明は優れた特性により体位支持用クッション材として多用されている発泡ウレタン材の特性を更に向上活用せしめる技術の開示を目的とし、この技術を用いることによって体位を支持するクッション面に任意な可変的クッション部を構成する手段、並びに通気機能の改善に関する技術を提示する。
【発明の開示】
【発明が解決しようとする課題】
【０００３】    従来より理想的に体圧を分散させ、通気機能も有する座席マット装置の開発課題に対し、多くのウレタン材積層構造、高・低反撥性材料の使用や穴明け構造、液体・気体の流動性を利用したクッション方式等が開示されているが、そのいずれもが簡便シンプルの基本要素を逸脱した構造が多く、製品の洗浄・消毒等が困難であり、且つ体位分散性と通気性を合理的に向上せしめる技術手段が見出せない現状にある。このため長時間の座位を余儀なくされる車椅子利用者等は体位支持機能の不全と通気機能の不全により、痛みや疲れ・蒸れ等の不快を体験する生活と褥瘡発生等の不安を覚えることから、この課題を解決する技術の開発は重要である。
【課題を解決するための手段】
【０００４】  発明者は上記課題を解決する手段として軽量・弾力・クッション性を有する発泡ウレタン材の優れた特性を損ずることなく利用し、体位分散機能と通気機能を更に向上せしめ得る合理的手段として、体位支持部本体に用いる発泡ウレタン材の連鎖組織に注目した。【０００５】  この連鎖組織を分断すれば、分断の条件によって分断孤立化した部分に異なる傾斜機能資質（クッション性・弾力性・反撥性）を有する部分が構成される事実を確認した。したがって従来一体的または積層的に構成していたウレタンクッション部の任意な部分を分割的に側方の連鎖組織を分断することによれば、クッション面の分断孤立位置に部分的にクッション性・弾力性・反撥性等を弱化・軟化させた域を構成することが自在となるのである。【０００６】  この手段によって単体や積層構造による座席マット類の均質的クッション特性は大きく変化することになり通気性も保持され、理想とする体位支持装置が軽量な発泡ウレタン材のみで具現化することになる。【０００７】  本発明の第１は発泡ウレタンクッション材を本体とした体位支持装置においてクッション面の一部を分割し、独立化させる手段として、ウレタン面の上部より溝部を形成するごとくに下部方面にウレタンの連鎖組織の側方切断を特徴とした体位受圧部の構成にあり、通気性を損なうことなく、同質ウレタンクッション面において、その任意の箇所に体位支持に有効な条件域を自在に分割独立的に構成し得る技術であり、独立部の面積・形状・高さ（切り込み深さ）等を変えることで自在なクッション機能を有する部分の構造目的が、同質ウレタンクッション材において行なえる方法にある。【０００８】第２番目の発明は通気性発泡ウレタン材を基盤部とし、その上部に通気発泡ウレタン材で形成したブロック体を並べて上部クッション部としたウレタンクッション材による積層分割構造の体位支持装置である。上部ブロック材の形状・資質を自在とし、各ブロック体の配置条件を変えることによれば、体位支持面に任意なクッション性を有する面の構成を可能とするものである。【０００９】  また３番目の発明は発泡ウレタン材を主材として構成した体位支持装置の通気性を向上せしめる手段として、ウレタンクッション部の底面部や側面より上部のウレタン層に対し、充分な空気を供給する構造であり、ウレタンクッショク部底面と床面・椅子面間に可撓性材料による粗組構造の空気供給空間部を設け、この空気供給空間部を含め、その上部に位置付けした発泡ウレタンクッシュン部と共に通気伸縮性を有する外装材によって包囲・縫製した体位支持装置である。【００１０】  本発明は発泡通気性ウレタンクッション材によって構成した体位支持本体部の一部を意図的に分断し、側方よりの応力（引っ張り・圧縮）による分断部に対する物理的応力干渉条件を排除することにより、分断域に本体部とは異なる資質のクッションを構成する技術であり、分断部の面積・形状・分断溝の深さ・通気孔・空間等により任意な資質のクッション域の構成が可能であり、同時に分断空間によって通気性を向上せしめる技術である。【００１１】  また別の例では通気発泡ウレタンクッション基盤上に通気発泡ウレタンによって形成した各種寸法・資質を有するクッ���ョン個体を通気孔や間隙を有し区画的・積層的に配列・配備することによって、体位支持・体位分散通気性の有効なクッション体を構成する技術である。【００１２】  更に上記構成による体位支持部の通気性をより向上せしめる手段として、クッション体支持枠部より底面部・側面部に空気流通に有効な可撓性半硬質材料でクッション体支持部を構成することによれば、体位支持機能と通気機能を両立し、着脱交換・洗浄を容易とした座席装置とすることができる。【００１３】  なお、通気性を不要とし体圧分散性を重視する防水用座席等においては、独立発泡ウレタン材を用い、これを防水性外装とすることで、防水浮力を有するマット類の構成が容易に行なえる。
【発明の効果】
【００１４】  本発明は既述のごとく発泡ウレタンクッション材を用いた体位支持装置を軽量性・クッション性と共に、体圧分散機能と通気機能を更に向上せしめる機能改善技術であり、これを用いれば長時間の座位姿勢においても疲労度が軽減される。特に座圧分散機能は座骨部に加わる加圧・圧迫の負荷を軽減し、通気姓の向上で蒸れ原因も改善されることから、疲労の軽減と共に褥瘡の発生予防や、その治療にも有効である。【００１５】  また不通気性独立発泡体を用いた場合においても、本技術による体圧分散機能を活用しうることは自明である。更に本技術製品は座席汚れに対する殺菌・消毒・洗浄・乾燥等が蒸気や空気通気方式により容易に行ない得る構成であり、座席部の一体的着脱交換を容易とした構造のため、公共用座席や長時間座位の座席としてその軽量性と簡便性に有効である。
【発明を実施するための最良の形態】
【００１６】  本発明の実施例を図について説明すると次のごとくである。【００１７】  図１において発泡ウレタンクション部本体（１）の上面部（２）の大腿骨盤部支持域（３）（３′）点線円内は切り込み状溝部（４）により、連鎖組織の一部が分断分割され、側方向結合力を有しない独立的分断域（５）（５′）が複数に形成されている。この場合、独立的分断域のクッション資質は連鎖組織を分断しない部分よりクッション資質が弱化するが、体圧によって沈下部分に集中する周囲組織の連鎖引き合い応力が回避され、沈下部に対する周域組織の側圧圧迫作用も弱化し、同時に分断溝空間部より沈み部に対しての空気供給条件が強化されることになる。【００１８】  また体圧分散作用も強い反撥力に抗することなく、沈み部分の反撥性を弱化させた傾斜的クッション作用によって、均等的な体圧分散支持作用が行なわれることになり、沈み部分を弱化させたクッション作用によって、均等的な体圧分散作用が行なわれ体位支持条件が通気性と共に改善される。【００１９】  したがって本発明の最良実施手段としては、発泡ウレタンクッション本体の資質である反撥性・弾力性・クッション性を通常のクッション材より強力な素材とし、そのクッション域の一部を本技術手段により弱化せしめ、体圧沈下に伴う部分の側圧迫現象を排除し、同時に体圧分散性・通気性を改善し、空気の供給促進により、体圧分散機能と通気機能とクッション機能との三位一体的効果を有することを特徴とした技術並びにその構成例を示すものである。【００２０】  また図２に示すごとくの分層構造によれば、上層部（６）に連鎖組織を分断する溝部（７）や空間部（８）を意図的に座面の体位加圧位置に構成し、体圧の分散作用に有効な座面の形成を容易とし、かつ通気機能をも向上せしめることができ、またクッション体上面と外装部間に伸縮性を有する緩衝マットを設ける等は自在である。【００２１】  また別の例として、図３に示すごとく発泡ウレタン基盤（９）上に通気発泡性クッション材で形成した各種形態のクッション個体（１０）を通気空間（１１）や通気孔（１２）を有して配備し、それぞれ異なる資質の個体群として配列することによれば、体圧の分散支持に適した体位支持部装置の設計施行が自在に行なえる。【００２２】  更に座面底面（１３）側面（１４）よりの空気供給・通気作用を促進する手段として可撓性材料によって空気流通回路を構成し、クッション体の側・底面を支持することとし、全体を伸縮通気性を有する外装布（１５）で囲包形成すれば、軽量で反撥・弾力・クッション性を有する発泡ウレタン材の本質的特性を損なうことなく活用し、体位圧分散性・通気性・クッション性・軽量性を具備した座席装置を、交換や洗浄・消毒等に便利な形態として、市場に提供しうるものである。
【図面の簡単な説明】
【００２３】
【図１】本発明の実施例であり、体圧分散と通気機能部を示す平面透視図である。
【図２】分層構造断面図である。
【図３】別の構成例を示す平面透視図である。
【図４】図３のＡ−Ａ線断面図である。
【図５】図１のＢ−Ｂ線断面図である。
【図６】別の平面透視図である。
【図７】別の平面透視図である。
【図８】図７Ｃ−Ｃの断面図である。
【図９】別の断面図である。
【図１０】積層例を示す断面図である。
【符号の説明】
【００２４】１…発泡ウレタンクッション部本体
２…本体の上部面
３…大腿骨盤部支持域
３′…大腿骨盤部支持域
４…切り込み状溝部
５…独立的分断域
５′…独立的分断域
６…分層構造上部層
７…溝部
８…空間部
９…ウレタン基盤
１０…クッション固体
１１…通気空間
１２…通気孔
１３…座部底面
１４…座部側面
１５…外装布
１６…空気供給回路部
１７…通気伸縮性緩衝マット」
【手続補正書】
【提出日】平成16年12月14日(2004.12.14)
【手続補正１】
【補正対象書類名】図面
【補正対象項目名】全図
【補正方法】追加
【補正の内容】
【図１】
2006087871.tif 000002
【図２】
2006087871.tif 000003
【図３】
2006087871.tif 000004
【図４】
2006087871.tif 000005
【図５】
2006087871.tif 000006
【図６】
2006087871.tif 000007
【図７】
2006087871.tif 000008
【図８】
2006087871.tif 000009
【図９】
2006087871.tif 000010
【図１０】
2006087871.tif 000011